(57)【特許請求の範囲】
【請求項１】
複数のバスバーと、該複数のバスバーが接続された電子部品と、前記バスバー及び前記電子部品とが取り付けられる箱本体と、該箱本体を覆うカバー体と、を備え、
前記電子部品と前記バスバーとの接続箇所は、発熱し易い部分であり、
前記カバー体は、前記箱本体と対向する天面壁部と、前記天面壁部から前記箱本体に近づく方向に傾斜した傾斜面部と、を有し、
前記箱本体は、前記複数のバスバー同士を絶縁する絶縁壁を有し、
前記傾斜面部が、前記電子部品と前記バスバーとの接続箇所及び前記絶縁壁の直上に配置されている
ことを特徴とする電気接続箱。
【発明の詳細な説明】
【技術分野】
【０００１】
本発明は、自動車等に設置される電気接続箱に関する。
【背景技術】
【０００２】
従来、自動車等に設置される電気接続箱は、ケース内に種々の電子部品やバスバーが取り付けられている（例えば、特許文献１参照。）。このような電気接続箱が室内搭載され、寒冷地で車内に雪などが入ることにより高湿度になった場合、ケース内の発熱部品周辺において結露が生じやすくなる。また、特に発熱部品の直上のケース内面部分に結露が生じやすく、この水滴が落下して前記発熱部品に付着したり、前記発熱部品に接続された異電位のバスバー同士を繋ぐように落下して、意図しないリークが生じたりするおそれがあるという問題があった。
【先行技術文献】
【特許文献】
【０００３】
【特許文献１】特開２０１２−２４４８５９公報
【発明の概要】
【発明が解決しようとする課題】
【０００４】
従って、本発明は、上記のような問題点に着目し、複数のバスバーが接続された電子部品の直上で結露が発生しても、落下した水滴が前記電子部品に付着したり、落下した水滴によって複数のバスバーの間でリークが発生したりすることを防止できる電気接続箱を提供することを目的とする。
【課題を解決するための手段】
【０００５】
請求項１に記載された発明は、複数のバスバーと、該複数のバスバーが接続された電子部品と、前記バスバー及び前記電子部品とが取り付けられる箱本体と、該箱本体を覆うカバー体と、を備え、前記電子部品と前記バスバーとの接続箇所は、発熱し易い部分であり、前記カバー体は、前記箱本体と対向する天面壁部と、前記天面壁部から前記箱本体に近づく方向に傾斜した傾斜面部と、を有し、前記箱本体は、前記複数のバスバー同士を絶縁する絶縁壁を有し、前記傾斜面部が、前記電子部品と前記バスバーとの接続箇所及び前記絶縁壁の直上に配置されていることを特徴とする電気接続箱である。
【発明の効果】
【０００６】
本発明によれば、傾斜面部が電子部品とバスバーとの接続箇所及び絶縁壁の直上に配置されているので、前記接続箇所の直上すなわち傾斜面部の内面で結露が発生しても、水滴が傾斜面部の下方に流れ、該傾斜面部の最下部から前記接続箇所を避けて箱本体に落下する。また、水滴が箱本体に落下しても、箱本体が複数のバスバー同士を絶縁する絶縁壁を有しているので、箱本体に落下した水滴により複数のバスバーの間でリークが生じることを防止できる。
【図面の簡単な説明】
【０００７】
【図１】本発明の一実施形態にかかる電気接続箱の斜視図である。
【図２】図１に示された電気接続箱の平面図である。
【図３】図１に示された電気接続箱のカバー体を取り外した状態を示す斜視図である。
【図４】図１に示された電気接続箱において、箱本体にバスバーが取り付けられた状態を示す斜視図である。
【図５】図４に示された電気接続箱を他の角度から見た斜視図である。
【図６】図４に示された箱本体に電子部品が載置された状態を示す斜視図である。
【図７】図３に示された電子部品とバスバーとの位置関係を示す説明図である。
【図８】図１に示された電気接続箱のＡ−Ａ線断面における断面図である。
【発明を実施するための形態】
【０００８】
本発明の一実施形態にかかる「電気接続箱」を図１〜図８を参照して説明する。
【０００９】
電気接続箱１０は、電気自動車に搭載されて電源から負荷へ電源分配を行うものであり、車内の床下に取り付けられて用いられる。なお、本発明の電気接続箱は、電気自動車以外の車両に用いられてもよく、また、電気接続箱の取り付け位置は床下に限らず、エンジンルーム等に取り付けられてもよい。
【００１０】
電気接続箱１０は、後述するリレー２やヒューズなどの複数の電子部品と、これら電子部品同士を電気接続する複数のバスバーと、複数の電子部品及びバスバーが取り付けられる箱本体３と、箱本体３を覆うカバー体４と、を備えている。また、本実施形態において、図中の矢印Ｘ方向を電気接続箱１０の長手方向、矢印Ｙ方向を電気接続箱１０の幅方向、矢印Ｚ方向を電気接続箱１０の高さ方向とする。また、矢印Ｚ方向における上下は、図１における上下に対応する。また、リレー２は、請求項における「電子部品」に相当する。
【００１１】
複数のバスバーは、金属板にプレス加工等が施されて得られるものである。これら複数のバスバーのうち、後述するリレー２に直接接続されるバスバーに符号１１，１２，１３を付して説明する。バスバー１１，１２，１３は、図４〜図７に示すように、後述する箱本体３の底面部３１に沿って配索される配索部１１ａ，１２ａ，１３ａと、該配索部１１ａ，１２ａ，１３ａから上方に曲げ起こされ、上端部にスリットが形成された接続受部１１ｂ，１２ｂ，１３ｂと、を有している。
【００１２】
リレー２は、高電圧が印加されるリレーであり、リレー本体２１と、入力側の接続部２２ａと、出力側の接続部２２ｂと、を有している。接続部２２ａ，２２ｂは金属板により平板状に形成され、ボルト５１が挿通される孔を有している。図７等に示すように、接続部２２ａは、バスバー１１の接続受部１１ｂ及びバスバー１２の接続受部１２ｂと重ねられることによりこれらと電気的に接続される。さらに、接続部２２ａに設けられた孔及び接続受部１１ｂ，１２ｂのスリットに挿通されたボルト５１がナット５２と締結されることにより、接続部２２ａと接続受部１１ｂ，１２ｂとの接続が維持される。また、接続部２２ｂは、バスバー１３の接続受部１３ｂと重ねられることによりバスバー１３と電気的に接続される。さらに、接続部２２ｂに設けられた孔及び接続受部１３ｂのスリットに挿通されたボルト５１がナット５２と締結されることにより、接続部２２ｂと接続受部１３ｂとの接続が維持される。
【００１３】
本実施形態においては、上述したように、重ね合わされた２枚の接続受部１１ｂ，１２ｂが、接続部２２ａと接続されている。この接続部２２ａに接続されるバスバー１１，１２は、技術的には一枚の板金から打ち抜いて一体形成することが可能であるが、材料歩留り向上のために２枚に分割されて形成された後にジョイントされている。また、２枚のバスバーをジョイントする場合、２枚のバスバー同士を溶接してジョイントする方法やボルト及びナット等の接続用部材を用いてジョイントする方法などがあるが、本実施形態においては、リレー２の接続部２２ａとの接続箇所において接続受部１１ｂ，１２ｂ同士をジョイントさせている。すなわち、２枚のバスバー１１，１２同士のジョイントと、これらバスバー１１，１２とリレー２との接続と、を一箇所で同時に行っている。このことにより、前述した溶接によるジョイントや専用の接続用部材が不要となる。
【００１４】
また、バスバー１１の配索部１１ａは、接続部２２ａの直下からリレー本体２１と離れる方向に延びて配索されている。バスバー１２，１３の配索部１２ａ，１３ａは、接続部２２ａ，２２ｂの直下からリレー本体２１の下側を通って配索されている。
【００１５】
箱本体３は、合成樹脂が用いられて、全体として平面視略矩形状に形成され、バスバーやリレー２などの部品が取り付けられる底面部３１と、底面部３１の外縁から立設した側面部３２と、底面部３１から立設して、バスバー１１，１２とバスバー１３とを絶縁する絶縁壁３３と、を有している。絶縁壁３３は、バスバー１１，１２とバスバー１３とを絶縁するために、図３，図４に示すように、バスバー１３の外縁に沿って設けられている。
【００１６】
カバー体４は、合成樹脂が用いられて、全体として平面視略矩形状に形成されている。カバー体４は、箱本体３と対向してリレー２の上面を覆う天面壁部４１と、天面壁部４１から箱本体３に近づく方向（下方）に傾斜した傾斜面部４２と、を有している。
【００１７】
傾斜面部４２は、リレー２及び絶縁壁３３の直上に配置されている。さらに詳細には、傾斜面部４２は、接続部２２ａ，２２ｂと接続受部１１ｂ，１２ｂ，１３ｂとの接続箇所の直上に配置されている。また、傾斜面部４２は、リレー２のリレー本体２１側から接続部２２ａ，２２ｂ側に向かうに従って下方に傾斜し、かつ、接続部２２ａ，２２ｂと接続受部１１ｂ，１２ｂ，１３ｂとの接続箇所をまたいでリレー２よりも外方まで延びている。
【００１８】
本実施形態の電気接続箱１０において、上記リレー２は、特にバスバー１１，１２，１３との接続箇所において発熱しやすいことから、電気接続箱１０内の湿度が高くなると、前記接続箇所の直上において結露が発生しやすい。また、前記接続箇所においては、接続部２２ａ，２２ｂと接続受部１１ｂ，１２ｂ，１３ｂとの接続にボルト５１及びナット５２が用いられることから、当該接続箇所に水滴が落ちると滞留しやすい。また、バスバー１１，１２とバスバー１３とが異電位であることから、バスバー１１，１２とバスバー１３とを繋ぐように水滴が落下すると、意図しないリークが生じてしまう。よって、本実施形態の電気接続箱１０においては、上記傾斜面部４２により前記接続箇所への水滴の落下を防止し、上記絶縁壁３３により落下した水滴によるバスバー１１，１２とバスバー１３とのリークを防止している。
【００１９】
すなわち、リレー２とバスバー１１，１２，１３との接続箇所が発熱して結露が発生すると、図８に示すように、水滴Ｄはカバー体４の傾斜面部４２に付着する。傾斜面部４２に付着した水滴Ｄは、図８に示す矢印Ｂのように、傾斜面部４２を傾斜方向に伝って、傾斜面部４２の最下部から重力により箱本体３に落下する。また、傾斜面部４２がリレー２とバスバー１１，１２，１３との接続箇所をまたいで設けられていることから、前記接続箇所に水滴Ｄが落下することを防止できる。また、バスバー１１，１２とバスバー１３とが絶縁壁３３により絶縁されていることから、落下した水滴Ｄによりバスバー１１，１２とバスバー１３との間でリークが発生することを防止できる。従って、バスバー１１，１２，１３が接続されたリレー２の直上で結露が発生しても、落下した水滴Ｄがリレー２に付着したり、落下した水滴Ｄによりバスバー１１，１２とバスバー１３との間でリークしたりすることを防止することができる。
【００２０】
また、天面壁部４１には、図２における左上に取り付けられたリレー２を覆う部分（すなわち温度が高くなる部分）において、ワイヤハーネス（不図示）を固定するためのクランプ穴４１ａが形成されており、このクランプ穴４１ａから電気接続箱１０の外に水蒸気を逃がすことができる。
【００２１】
なお、本発明は、前述した実施形態に限定されるものではなく、本発明の目的が達成できる他の構成等を含み、以下に示すような変形等も本発明に含まれる。
【００２２】
前述した実施形態においては、電子部品としてリレー２が電気接続箱１０に取り付けられていたが、本発明の電気接続箱の構成は、発熱しやすい他の電子部品を取り付ける場合にも適用することができる。
【００２３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００２４】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００２５】
２        リレー（電子部品）
３        箱本体
４        カバー体
１０      電気接続箱
１１，１２，１３        バスバー
３３      絶縁壁
４１      天面壁部
４２      傾斜面部
【図１】
0006419473.tif 000002
【図２】
0006419473.tif 000003
【図３】
0006419473.tif 000004
【図４】
0006419473.tif 000005
【図５】
0006419473.tif 000006
【図６】
0006419473.tif 000007
【図７】
0006419473.tif 000008
【図８】
0006419473.tif 000009